(57)【要約】【課題】アイコンの一覧性を改善し、ユーザが所望のアイコンを容易に選択できるようにすることで、ユーザの利便性を向上する。【解決手段】ユーザ操作（７ａ）に連動して、少なくとも１つのアイコン（２）をグループ化したアイコン群（１）を特定可能なグループ化アイコンを選択軌道に沿って移動させるアイコン群移動部（１１）と、グループ化アイコンが選択された場合、当該グループ化アイコンによって特定されるアイコン群に含まれた少なくとも１つのアイコン（２）を一覧可能に表示するアイコン表示部（１２）とを備えた。【選択図】図１
2014052903.tif 000002
【特許請求の範囲】
【請求項１】
ユーザの操作により指定された位置を検知可能な入力面と、情報を特定するアイコンを表示可能な表示面とを備え、前記指定された位置に基づいて前記アイコンの選択が可能であることにより、前記情報の入力が可能な入力装置であって、
前記ユーザの操作に連動して、少なくとも１つのアイコンをグループ化したアイコン群を特定可能なグループ化アイコンを、第１の軌道に沿って移動させる移動手段と、
前記移動手段によって移動されるグループ化アイコンの中から１つのグループ化アイコンが選択された場合、当該グループ化アイコンによって特定されるアイコン群に含まれた少なくとも１つのアイコンを一覧可能に表示する表示手段とを備えたことを特徴とする入力装置。
【請求項２】
前記移動手段は、前記表示手段によって少なくとも１つのアイコンが一覧可能に表示された後、前記ユーザの操作によって前記第１の軌道とは異なる第２の軌道が選択された場合、当該少なくとも１つのアイコンを再度グループ化して当該第１の軌道に沿って移動させることを特徴とする請求項１に記載の入力装置。
【請求項３】
前記表示手段によって少なくとも１つのアイコンが一覧可能に表示された後、前記ユーザの操作によって１つのアイコンが選択された場合、当該アイコンによって特定される情報を入力として受け付ける入力手段をさらに備えたことを特徴とする請求項１または２に記載の入力装置。
【請求項４】
前記表示手段は、前記移動手段によって移動されるグループ化アイコンの中から１つのグループ化アイコンが選択された場合、当該グループ化アイコンによって特定されるアイコン群に含まれた少なくとも１つのアイコンのそれぞれを、前記第１の軌道とは異なる第３の軌道に沿って移動させることによって、当該少なくとも１つのアイコンを一覧可能に表示することを特徴とする請求項１から３のいずれか１項に記載の入力装置。
【請求項５】
前記移動手段は、楕円を描く軌道を前記第１の軌道として前記グループ化アイコンを移動させ、
前記表示手段は、前記移動手段によって移動されるグループ化アイコンに対して、前記楕円の軸と対称の位置にある他のグループ化アイコンを、当該グループ化アイコンよりも小さく表示することを特徴とする請求項１から４のいずれか１項に記載の入力装置。
【請求項６】
前記表示手段は、前記移動手段によってグループ化アイコンが所定の領域に移動された場合、当該グループ化アイコンを前記ユーザの操作によって選択されたグループ化アイコンとして、当該グループ化アイコンによって特定されるアイコン群に含まれた少なくとも１つのアイコンを一覧可能に表示することを特徴とする請求項１から５のいずれか１項に記載の入力装置。
【請求項７】
ユーザの操作により指定された位置を検知可能な入力面と、情報を特定するアイコンを表示可能な表示面とを備え、前記指定された位置に基づいて前記アイコンの選択が可能であることにより、前記情報の入力が可能な入力装置の制御方法であって、
前記ユーザの操作に連動して、少なくとも１つのアイコンをグループ化したアイコン群を特定可能なグループ化アイコンを、第１の軌道に沿って移動させる移動ステップと、
前記移動ステップにおいて移動されるグループ化アイコンの中から１つのグループ化アイコンが選択された場合、当該グループ化アイコンによって特定されるアイコン群に含まれた少なくとも１つのアイコンを一覧可能に表示する表示ステップとを含むことを特徴とする入力装置の制御方法。
【請求項８】
請求項１から６のいずれか１項に記載の入力装置を動作させるための制御プログラムであって、コンピュータを前記各手段として機能させるための制御プログラム。
【請求項９】
請求項８に記載の制御プログラムを記録したコンピュータ読み取り可能な記録媒体。
【発明の詳細な説明】
【技術分野】
【０００１】
本発明は、ユーザの操作により接触した位置に基づいてアイコンの選択が可能であることにより、情報の入力が可能な入力装置等に関するものである。
【背景技術】
【０００２】
スマートフォンをはじめとする情報端末や一部の家庭用ゲーム機など、タッチパネルを備えた表示画面を有する電子機器において、当該電子機器に実行させる処理（アプリケーション）や当該処理の対象（データ）などを絵や記号で表現した「アイコン」をユーザにタッチさせることによって、当該ユーザが情報を入力可能にするユーザインターフェースが普及している。キーボード等の入力機器を操作させる従来の入力方法よりも、ユーザに直感的かつ容易に入力させることができるからである。
【０００３】
したがって、上記アイコンを用いたユーザインターフェースを工夫することは重要性を増しており、より良いユーザインターフェースが広く考案されている。例えば、下記の特許文献１には、複数のアイコンを使用せずに簡易な操作でメニュー項目の検索および選択が可能なインタフェースを備えたメニュー表示装置が開示されている。
【０００４】
また、下記の特許文献２には、選択されたメニューの位置を容易に確認することのできるユーザインターフェースの具現装置が開示されている。下記の特許文献３には、マルチメディア再生装置において、直感的かつ簡便なユーザインターフェースを実現するマルチメディア再生装置が開示されている。
【０００５】
さらに、下記の特許文献４には、選択中のメニューをユーザが識別しやすくして、操作性の向上を図る表示方法が開示されている。下記の特許文献５には、アイコンメニュー画面で選択可能なアイコンの数を増やしても、アイコンの図柄の視認性を低下させることのないアイコン表示システムが開示されている。
【先行技術文献】
【特許文献】
【０００６】
【特許文献１】特開２０１０−０５５１４５号公報（２０１０年０３月１１日公開）
【特許文献２】特開２００８−０２７４２８号公報（２００８年０２月０７日公開）
【特許文献３】特開２００７−３００５６５号公報（２００７年１１月１５日公開）
【特許文献４】特開２００６−１８５２７３号公報（２００６年０７月１３日公開）
【特許文献５】特開２００４−２９５１５９号公報（２００４年１０月２１日公開）
【発明の概要】
【発明が解決しようとする課題】
【０００７】
上記アイコンを用いたユーザインターフェースでは、ユーザが目的のアイコンを即座に発見できない問題がある。電子機器に格納されたアプリケーションやデータが増加するに伴い、当該アプリケーション等に対応するアイコンの数も増加し、多くのアイコンが表示画面に一度に表示されるからである。
【０００８】
上記問題を解決するために、ユーザに２段階の操作を行わせる方法が考えられる。すなわち、例えばアプリケーションのカテゴリーごとに、ユーザによってアイコンがあらかじめ分類されている場合、（１）ユーザに目的のアイコンが属するカテゴリー（アイコン群）を特定させ、（２）当該カテゴリーに属するアイコンを一覧表示することによって、当該アイコンの中から目的のアイコンを選択させることが考えられる。
【０００９】
しかし、アプリケーション等の数がさらに増加し、当該アプリケーションのカテゴリーが一層増加した場合、当該カテゴリーを容易に特定可能となるように一覧表示することが困難になる。分類の階層を増やす方法も考えられるが、好ましい解決方法ではない。ユーザが目的のアイコンに至るまでに要する操作の回数が、増加するためである。
【００１０】
上記の特許文献１〜５に開示された技術は、アイコンの増加によって発生する上記の問題を解決できない。例えば、特許文献１に開示されたメニュー表示装置は、上記問題の解決を主眼とするものでなく、メニュー項目を単に「複数並べて表示する」に過ぎない。他の特許文献２〜５も同様である。
【００１１】
本発明は、上記の問題点に鑑みてなされたものであり、その目的は、アイコンの一覧性を改善し、ユーザが所望のアイコンを容易に選択できるようにすることによって、ユーザの利便性を向上させる入力装置等を提供することである。
【課題を解決するための手段】
【００１２】
上記の課題を解決するために、本発明の一態様に係る入力装置は、ユーザの操作により指定された位置を検知可能な入力面と、情報を特定するアイコンを表示可能な表示面とを備え、前記指定された位置に基づいて前記アイコンの選択が可能であることにより、前記情報の入力が可能な入力装置であって、前記ユーザの操作に連動して、少なくとも１つのアイコンをグループ化したアイコン群を特定可能なグループ化アイコンを、第１の軌道に沿って移動させる移動手段と、前記移動手段によって移動されるグループ化アイコンの中から１つのグループ化アイコンが選択された場合、当該グループ化アイコンによって特定されるアイコン群に含まれた少なくとも１つのアイコンを一覧可能に表示する表示手段とを備えている。
【００１３】
また、上記の課題を解決するために、本発明の一態様に係る入力装置の制御方法は、ユーザの操作により指定された位置を検知可能な入力面と、情報を特定するアイコンを表示可能な表示面とを備え、前記指定された位置に基づいて前記アイコンの選択が可能であることにより、前記情報の入力が可能な入力装置の制御方法であって、前記ユーザの操作に連動して、少なくとも１つのアイコンをグループ化したアイコン群を特定可能なグループ化アイコンを、第１の軌道に沿って移動させる移動ステップと、前記移動ステップにおいて移動されるグループ化アイコンの中から１つのグループ化アイコンが選択された場合、当該グループ化アイコンによって特定されるアイコン群に含まれた少なくとも１つのアイコンを一覧可能に表示する表示ステップとを含んでいる。
【発明の効果】
【００１４】
本発明の入力装置および当該装置の制御方法の一態様によれば、当該装置等は、アイコンの一覧性を改善し、ユーザが所望のアイコンを容易に選択できるようにすることができるため、ユーザの利便性を向上させることができるという効果を奏する。
【図面の簡単な説明】
【００１５】
【図１】本発明の一実施の形態に係るスマートフォンの要部構成を示すブロック図である。
【図２】（ａ）は、上記スマートフォンの外観例を表した模式図であり、（ｂ）は、ユーザによる当該スマートフォンの操作例を表した模式図である。
【図３】上記スマートフォンの基本動作を示した模式図であり、（ａ）は、ユーザによるスライド操作に基づいて、上記スマートフォンが選択軌道に沿ってアイコン群を移動させる様子を示し、（ｂ）は、上記スマートフォンが当該アイコン群を特定エリアに移動させる様子を示し、（ｃ）は、所定のアニメーションを伴って、上記スマートフォンが特定エリアに移動されたアイコン群を展開する過程を示し、（ｄ）は、上記スマートフォンがアイコン軌道に沿って当該アイコンを移動させることによって、当該アイコンを一覧表示した様子を示す。
【図４】所定のアプリケーションが起動するまでの過程を示す模式図であり、（ａ）は、ユーザのタッチ操作によってアイコンが選択されている様子を示し、（ｂ）は、当該アイコンによって特定されるコマンドが上記スマートフォンに入力された結果、上記アプリケーションが起動する様子を示す。
【図５】ユーザによって非選択軌道が選択されることにより、上記スマートフォンがアイコンの一覧表示を中止し、選択軌道と非選択軌道とを入れ替える過程を示す模式図であり、（ａ）は、アイコンが一覧表示されている場合、ユーザによって非選択軌道が選択される様子を示し、（ｂ）は、所定のアニメーションを伴って、上記スマートフォンが一覧表示していたアイコンを、アイコン群に集束させる過程を示し、（ｃ）は、上記スマートフォンが、上記アイコンを集束させたアイコン群を選択軌道に配置する様子を示し、（ｄ）は、上記スマートフォンが上記集束させたアイコン群を特定エリアから移動させ、ユーザによって選択された非選択軌道を選択軌道に切り替えて、選択軌道を非選択軌道に切り替える様子を示す。
【図６】上記スマートフォンが実行する処理の一例を示すフローチャートである。
【発明を実施するための形態】
【００１６】
図１〜図６に基づいて、本発明の実施の形態を詳細に説明する。
【００１７】
ある部材が互いに関連していることを明示するために、異なる部材名を有する部材に同一の部材番号を付し、アルファベットをさらに付して当該部材を示すことがある。例えば、「選択軌道４ａ」、「非選択軌道４ｂ」、「アイコン軌道４ｃ」などと示す。また、当該部材名の一部と当該部材の部材番号に付されたアルファベットを省略して、当該部材を総称することがある。例えば、選択軌道４ａ、非選択軌道４ｂ、およびアイコン軌道４ｃを「軌道４」と総称することがある。
【００１８】
以下の記載および上記図面においては、ユーザがスマートフォン１００（図１参照）を右手に把持し、右手の親指を入力面に接触させる場合を想定して説明する。しかし、スマートフォン１００を把持する手は右手であっても左手であってもよいし、入力面に接触させる指は親指以外の指であってもよい。
【００１９】
また、以下の記載および上記図面においては、「ユーザが入力面に指を接触させる」として説明する。しかし、入力面４１（図１参照）が、例えば指の近接を検知可能なタッチパネルである場合、スマートフォン１００は、入力面４１に対するユーザの指の近接を検出することによっても、接触の場合と同様に動作可能である。
【００２０】
さらに、ユーザはスマートフォン１００を操作するために、指ではなくスタイラスなどの指示具を用いることもできる。すなわち、以下の記載において、「ユーザの（親）指」には「スタイラスなどの指示具」が含まれる。ただし、記載の簡潔性を担保するため、以下では単に「ユーザの（親）指」とのみ記載する。
【００２１】
〔スマートフォン１００の概要〕
図１に基づいて、スマートフォン１００の概略を説明する。図１は、スマートフォン１００の要部構成を示すブロック図である。
【００２２】
スマートフォン（入力装置）１００は、ユーザ操作（ユーザの操作）７ａにより指定された位置を検知可能な入力面４１と、コマンド３を特定するアイコン２を表示可能な表示面７２とを備え、指定された位置に基づいてアイコン２の選択が可能であることにより、上記コマンドの入力が可能な入力装置である。
【００２３】
コマンド（情報）３とは、所定の処理を実行することをスマートフォン１００に指示するものをいう。例えば、あるアプリケーションを起動するよう指示するものや、あるファイルを開くように指示するものなど、一般的な電子機器に与える情報を広く含む。
【００２４】
図２に基づいて、スマートフォン１００の外観および操作の一例を説明する。図２の（ａ）は、スマートフォン１００の外観例を表した模式図であり、図２の（ｂ）は、ユーザによるスマートフォン１００の操作例を表した模式図である。
【００２５】
図２の（ａ）に示すように、スマートフォン１００は、入力面４１、表示面７２、および電源スイッチ４３を備える。
【００２６】
なお、各構成が有する機能を明示するために、図１は入力面４１と表示面７２とを分離して示すが、例えば入力面４１をタッチパネルで、表示面７２を液晶ディスプレイで実現する場合、図２の（ａ）に示すように、両者は一体として構成されてよい。これにより、入力面４１に対するユーザの指の接触位置と、表示面７２が当該接触に応じて表示する図形等の表示位置とが一致するため、ユーザは自然な入力感覚を得ることができる。
【００２７】
図２の（ｂ）に示すように、ユーザは入力面４１をタッチし、スマートフォン１００に当該入力面における位置を指定することにより（入力面上の座標を与えることにより）、アイコンを選択するなどの指示情報をスマートフォン１００に与えることができる。
【００２８】
上記のように、スマートフォン１００は携帯型の情報端末である。ここで、スマートフォン１００と同等の機能は、携帯電話、パーソナルコンピュータ、タブレット型端末などでも実現できることに注意する。すなわち、必要な情報を入出力可能な電子機器でありさえすれば、端末はスマートフォンでなくともよい。
【００２９】
図３に基づいて、スマートフォン１００の基本的な動作を説明する。図３は、スマートフォン１００の基本動作を示した模式図である。
【００３０】
例えば、当該スマートフォンの待ち受け画面において、ユーザによる所定の操作（例えば、ダブルタッチの操作）を検知すると、スマートフォン１００は、図３に示す画面を表示する。なお、スマートフォン１００に当該画面を表示させるために、ユーザが当該スマートフォンに行う操作およびタイミングは、上記例に限られない。また、スマートフォン１００は、当該操作が必要ないような構成であってもよい（例えば、スマートフォン１００は、待ち受け画面を図３に示す画面としてもよい）。
【００３１】
図３の（ａ）は、ユーザによるスライド操作に基づいて、スマートフォン１００が選択軌道４ａに沿ってアイコン群１を移動させる様子を示し、図３の（ｂ）は、スマートフォン１００が当該アイコン群を特定エリア５に移動させる様子を示す。
【００３２】
アイコン群１は、少なくとも１つのアイコン２をグループ化したアイコンの集合、および当該アイコン群を特定可能なアイコン（グループ化アイコン）をいう。なお、図３において、各アイコン群に近接して表示される「基本アプリ」、「ＤＬアプリ」などの文字列は、当該アイコン群に含まれる各アイコンによって特定されるコマンド３のカテゴリーを示す。
【００３３】
図３の（ｃ）は、所定のアニメーションを伴って、スマートフォン１００が特定エリア５に移動されたアイコン群１を展開する過程を示し、図３の（ｄ）は、スマートフォン１００がアイコン軌道４ｃに沿って当該アイコンを移動させることによって、当該アイコンを一覧表示した様子を示す。なお、図３の（ａ）〜（ｄ）は、スマートフォン１００の一連の動作を時系列で表している。
【００３４】
図３の（ａ）に示すように、ユーザが入力面４１に指を接触させたまま、当該入力面上で指をすべらせるように動かす操作（スライド操作）を行うと、スマートフォン１００は、当該スライド操作に連動して、当該入力面の接触した位置に対応する表示面７２における位置に表示されたアイコン群１を、選択軌道４ａに沿って移動させる。
【００３５】
選択軌道（第１の軌道）４ａは、スライド操作によってユーザが移動させることができるアイコン群が、当該移動によって描く軌道である。一方、非選択軌道（第２の軌道）４ｂは、ユーザが移動させることができないアイコン群が移動可能となる軌道である。なお、図３の（ａ）〜（ｄ）において、軌道４を楕円で表しているが、当該軌道は楕円に限られず、任意の形状を描いてよい。また、軌道４の数も任意である。
【００３６】
図３の（ｂ）に示すように、ユーザのスライド操作によってアイコン群１が特定エリア５に移動されると、スマートフォン１００は、当該アイコン群がユーザによって選択されたと判定する。
【００３７】
特定エリア（所定の領域）５は、アイコン群１が移動されることによって、当該アイコン群がユーザによって選択されたと、スマートフォン１００が判定する領域である。図３の（ａ）〜（ｄ）において、楕円の軌道４を直感的に把握できるようにするため、特定エリア５を球形のグラフィックで表しているが、特定エリア５の形状は球形に限られず、任意の形状でよい。
【００３８】
なお、図３の（ａ）および（ｂ）において、ユーザはスライド操作に代えて、入力面４１を素早く弾く操作（以下、「フリック操作」と称する）によっても、上記と同様の操作をスマートフォン１００に対して行うことができる。記載の簡潔性を担保するため、以下の説明および図面においては、単に「スライド操作」とのみ記載するが、すべての「スライド操作」は、「フリック操作」で代替可能であることに注意する。
【００３９】
図３の（ｃ）に示すように、スマートフォン１００は、特定エリア５に移動されたアイコン群１を展開する。すなわち、スマートフォン１００は、アイコン群としてグループ化されたアイコンを個別に表示する。このとき、スマートフォン１００は、水面に波紋が広がるように、アイコン群１を構成する複数のアイコン２が特定エリア５を中心として放射状に広がっていくアニメーションを伴って、当該アイコン群を展開してよい。
【００４０】
図３の（ｄ）に示すように、スマートフォン１００は、ユーザによって選択されたアイコン群１に含まれるアイコン２を、アイコン軌道（第３の軌道）４ｃに沿って並べることにより、当該アイコンを一覧表示する。また、前述と同様に、スマートフォン１００は、スライド操作に連動して、上記アイコン２をアイコン軌道４ｃに沿って移動させることができる。
【００４１】
以上の概要をまとめると、スマートフォン１００は次の（１）および（２）のステップで動作する。すなわち、スマートフォン１００は、
（１）ユーザ操作７ａ（例えば、スライド操作など）に連動して、少なくとも１つのアイコン２をグループ化したアイコン群１（グループ化アイコン）を、選択軌道４ａに沿って移動させ、
（２）ユーザによって１つのアイコン群１が選択された場合（例えば、当該アイコン群がスライド操作により特定エリア５に移動された場合や、当該アイコン群をタッチすることにより特定エリア５に移動させた場合など）、当該アイコン群を展開する（アイコン２を個別にアイコン軌道４ｃに並べる）ことによって、当該アイコン群に含まれたアイコン２を一覧可能に表示する。
【００４２】
上述した２段階の操作をユーザに行わせる従来の方法において、多数のアイコン群が存在する場合、表示面に当該アイコン群を「並べて表示する」だけでは、ユーザは所望のアイコンを含むアイコン群を効率よく特定することができない。ユーザは注意を向ける対象を絞り込みづらく、上記アイコン群を探し出す集中力を維持することが困難であることから、当該アイコン群の見落としが頻発するからである。
【００４３】
一方、スマートフォン１００は、ユーザ操作７ａに連動して、アイコン群１を選択軌道４ａに沿って移動させる。例えば、当該ユーザ操作によって指定された入力面４１の位置に対応する、表示面７２の位置に表示されるアイコン群１を順次入れ替えるように、スマートフォン１００は、選択軌道４ａに沿って当該アイコン群を移動させる。
【００４４】
これにより、スマートフォン１００は、スライド操作するアイコン群１の周辺に注意を向ける対象を、ユーザに絞り込ませることができるとともに、所望のアイコンが表示された位置を当該ユーザに把握させることができる。また、「アイコン（群）を移動させる」という今までにない操作感を伴うため、スマートフォン１００は、ユーザの興味を喚起することができる。
【００４５】
したがって、スマートフォン１００は、アイコン２の一覧性を改善し、ユーザが所望のアイコン２を容易に選択できるようにすることができるため、ユーザの利便性を向上させることができる。
【００４６】
〔スマートフォン１００の構成〕
図１に基づいて、スマートフォン１００の構成を説明する。なお、記載の簡潔性を担保する観点から、本実施の形態に直接関係のない部分（例えば、電話回線を利用して通話を実現する部分など）は構成の説明およびブロック図から省略した。ただし、実施の実情に則して、スマートフォン１００は当該省略した構成を含んでもよい。
【００４７】
以下、入力部４０（入力面４１、入力制御部４２）、制御部１０（アイコン群移動部１１、アイコン表示部１２、コマンド入力部１３）、表示部７０（表示制御部７１、表示面７２）の順序で各構成が担う機能を説明する。
【００４８】
入力部４０は、ユーザからの操作（ユーザ操作７ａ）を受け付ける。入力部４０は、入力面４１と入力制御部４２とを含む。
【００４９】
入力面４１は、ユーザ操作７ａにより指定された位置を示す入力信号７ｂを入力制御部４２に出力する。本実施の形態では、入力面４１としてマルチタッチを検出可能なタッチパネルであることが望ましい。ただし、入力面４１は、ユーザ操作７ａで接触位置を検知可能な入力機器でありさえすれば、ハードウェアの種類はタッチパネルに限定されない。
【００５０】
入力制御部４２は、入力面４１に対するユーザ操作７ａの接触位置を座標情報７ｃとして検出する。具体的には、入力面４１から入力信号７ｂが入力されると、入力制御部４２は、当該入力信号を当該入力面における座標情報７ｃに変換し、当該座標情報をアイコン群移動部１１に出力する。
【００５１】
制御部（制御手段）１０は、スマートフォン１００の各種機能を統括的に制御するものである。例えば、制御部１０は、（１）スマートフォン１００の初期化処理を行う（アイコンのグループ名、アイコン群、軌道の数を取得し、ユーザインターフェースを構成して描画し、選択軌道４ａをあらかじめ決められたものに設定するなどの処理を実行する）、（２）ユーザ操作７ａがスライド操作であるか否かを判定する、（３）ユーザによってスライド操作されたのは、選択軌道４ａか、非選択軌道４ｂか、それ以外のものかを判定する、（４）ユーザが操作した軌道を選択軌道４ａとするなどの処理を行う。
【００５２】
なお、制御部１０の各機能は、例えばＲＡＭ（Random Access Memory）やフラッシュメモリなどの記憶素子に記憶されたプログラムを、ＣＰＵ（Central Processing Unit）が実行することによって実現されてもよい。制御部１０は、アイコン群移動部１１、アイコン表示部１２、およびコマンド入力部１３を含む。
【００５３】
アイコン群移動部（移動手段）１１は、ユーザ操作７ａに連動して、少なくとも１つのアイコン２をグループ化したアイコン群１を、選択軌道４ａに沿って移動させる。具体的には、入力制御部４２からユーザ操作７ａによる座標情報７ｃが入力され、当該ユーザ操作が選択軌道４ａをスライドする操作であると、制御部１０によって判定される場合、アイコン群移動部１１は、移動後のアイコン群１をアイコン表示部１２に出力する。
【００５４】
また、アイコン群移動部１１は、アイコン表示部１２によって少なくとも１つのアイコン２が一覧可能に表示された後、ユーザ操作７ａによって選択軌道４ａとは異なる非選択軌道４ｂが選択された場合、当該少なくとも１つのアイコン２を再度グループ化して当該選択軌道に沿って移動させる。
【００５５】
具体的には、ユーザによってスライド操作されたものが非選択軌道４ｂであると、制御部１０によって判定される場合、アイコン群移動部１１は、一覧可能に表示されたアイコン２をアイコン群１として再度グループ化し、移動後の当該アイコン群を表示制御部７１に出力する。
【００５６】
なお、アイコン群移動部１１は、楕円を描く軌道を選択軌道４ａとしてアイコン群１を移動させてよい。また、アイコン群移動部１１は、ユーザによって選択される頻度の高いアイコン群１を、手前側（例えば、図３の（ａ）において楕円の長軸より下側の曲線部など、ユーザにより近い位置として視認される側の位置）に表示してもよい。
【００５７】
さらに、アイコン群移動部１１は、ユーザによってアイコン群１がタッチされたか否かを判定する。アイコン群１がタッチされたと判定される場合、アイコン群移動部１１は、当該アイコン群１を特定エリア５に移動させる（すなわち、当該アイコン群がユーザによって選択されたと、スマートフォン１００に判定させる）。
【００５８】
アイコン表示部（表示手段）１２は、アイコン群移動部１１によってアイコン群１が特定エリア５に移動された場合、当該アイコン群に含まれた少なくとも１つのアイコン２を一覧可能に表示する。
【００５９】
具体的には、アイコン群移動部１１からアイコン群１が入力されると、アイコン表示部１２は、当該アイコン群が特定エリア５に含まれているか否かを判定する。含まれていると判定される場合、アイコン表示部１２は、アイコン群１に含まれるアイコン２を個別にアイコン軌道４ｃに並べるように、表示位置を決定したアイコン２を表示制御部７１に出力する。含まれていないと判定される場合、アイコン表示部１２は、当該アイコン群を表示制御部７１に出力する。
【００６０】
また、アイコン表示部１２は、一覧表示されたアイコン２がユーザによってタッチされたか否かを判定する。アイコン２がタッチされたと判定される場合、アイコン表示部１２は、当該アイコンによって特定されるコマンド３を、コマンド入力部１３に出力する。
【００６１】
なお、アイコン表示部１２は、アイコン群移動部１１によって移動されるアイコン群１に対して、楕円の軸と対称の位置にある他のアイコン群を、当該アイコン群よりも小さく表示することが好ましい。これにより、ユーザの視点からの遠近が現れることにより、楕円軌道（選択軌道４ａ、非選択軌道４ｂ、アイコン軌道４ｃ）を周回するアイコン群１またはアイコン２を表現できる。
【００６２】
コマンド入力部（入力手段）１３は、アイコン表示部１２によって少なくとも１つのアイコン２が一覧可能に表示された後、ユーザ操作７ａによって当該少なくとも１つのアイコン２の中から１つのアイコンが選択された場合、当該アイコンによって特定されるコマンドを入力として受け付ける。
【００６３】
具体的には、アイコン表示部１２からコマンド３が入力されると、コマンド入力部１３は、当該コマンドをスマートフォン１００に入力として与える。これにより、スマートフォン１００は、当該コマンドで指定される処理（例えば、あるアプリケーションを起動する処理や、あるファイルを開く処理など）を実行できる。
【００６４】
表示部７０は、制御部１０の内部で処理された結果の情報（アイコン群１、アイコン２）をユーザに対して表示する。表示部７０は、表示制御部７１と表示面７２とを含む。
【００６５】
表示制御部７１は、アイコン群１またはアイコン２を表示面７２に表示できるように、表示用データ７ｄを表示面７２へ出力する。表示用データ７ｄは、例えばビットマップ形式の画像であってよいし、他の形式に従う画像、またはその他表示に適したデータ形式であってもよい。なお、表示制御部７１は、表示すべき内容を表示用データ７ｄへ形式変換できるものを含んでいればよく、例えば一般的なディスプレイアダプタでよい。
【００６６】
表示面７２は、表示制御部７１から入力される表示用データ７ｄを表示する装置である。本実施の形態では主に液晶ディスプレイ（Liquid Crystal Display；ＬＣＤ）を想定しているが、表示機能を有する装置（例えば、表示制御部７１から入力された表示用データ７ｄに基づき、表示素子を駆動するドライバ回路を備えた装置）でありさえすればハードウェアの種類は限定されない。
【００６７】
なお、図１には示していないが、スマートフォン１００は、アプリケーション等を格納するための記憶部を備えてよい。当該記憶部には、例えば（１）いずれの軌道４にいずれのアイコン群１またはアイコン２が配置されているか、（２）いずれの軌道４をユーザが選択しているか（いずれの軌道４が選択軌道４ａに対応しているか）などのデータが格納されている。なお、記憶部は、例えばハードディスク、半導体メモリ、ＤＶＤ等で構成できる。また、記憶部は、スマートフォン１００に内蔵される機器であってもよいし、スマートフォン１００の外部に通信可能に接続された外部記憶装置であってもよい。
【００６８】
〔アイコン２が選択されることによるアプリケーションの起動〕
図４に基づいて、ユーザによってアイコン２が選択された場合、スマートフォン１００がアプリケーションを起動することを説明する。図４は、所定のアプリケーション（同図では「電話帳」）が起動するまでの過程を示す模式図である。
【００６９】
図４の（ａ）は、ユーザのタッチ操作によってアイコン２（同図では「電話帳」のアイコン）が選択されている様子を示し、図４の（ｂ）は、当該アイコンによって特定されるコマンドがスマートフォン１００に入力された結果、上記アプリケーションが起動する様子を示す。
【００７０】
図４の（ａ）に示すように、ユーザはアイコン軌道４ｃの手前側（楕円の長軸より下側の曲線部）の軌道に表示されたアイコン２をタッチすることにより、当該アイコンを選択できる。ただし、ユーザは、奥側（楕円の長軸より上側の曲線部）の軌道に表示されたアイコン２をタッチすることによっても、当該アイコンを選択することができる。
【００７１】
〔選択軌道４ａと非選択軌道４ｂとの入れ替え〕
図５に基づいて、スマートフォン１００が選択軌道４ａと非選択軌道４ｂとを入れ替えることを説明する。図５は、ユーザによって非選択軌道４ｂが選択されることにより、スマートフォン１００がアイコンの一覧表示を中止し、選択軌道４ａと非選択軌道４ｂとを入れ替える過程を示す模式図である。
【００７２】
図５の（ａ）は、アイコンが一覧表示されている場合（図３の（ｄ）参照）、ユーザによって非選択軌道４ｂが選択される様子を示し、図５の（ｂ）は、所定のアニメーションを伴って、スマートフォン１００が一覧表示していたアイコンを、アイコン群１に集束させる（グループ化する）過程を示す。
【００７３】
図５の（ｃ）は、スマートフォン１００が、上記アイコンを集束させたアイコン群１を選択軌道に配置する様子を示し、図５の（ｄ）は、スマートフォン１００が上記集束させたアイコン群１を特定エリア５から移動させ、ユーザによって選択された非選択軌道４ｂを選択軌道４ａに切り替えて、選択軌道４ａを非選択軌道４ｂに切り替える様子を示す。
【００７４】
図５の（ａ）〜（ｄ）に示すように、スマートフォン１００は、アイコン２を一覧可能に表示した後、ユーザにより非選択軌道４ｂが選択された場合、当該アイコンを再度グループ化したアイコン群１を、選択軌道４ａに沿って移動させる。次に、スマートフォン１００は、選択された非選択軌道４ｂと現在選択されている選択軌道４ａとを入れ替える。
【００７５】
〔スマートフォン１００が実行する処理〕
図６に基づいて、スマートフォン１００が実行する処理の流れを説明する。図６は、スマートフォン１００が実行する処理の一例を示すフローチャートである。なお、以下の説明において、カッコ書きの「〜ステップ」は制御方法の各ステップを表す。
【００７６】
まず、制御部１０が、スマートフォン１００の初期化処理を行う（ステップ１：Ｓ１のように略記する）。入力面４１がユーザ操作７ａを検知すると（Ｓ２においてＹＥＳ）、制御部１０は、当該ユーザ操作がスライド操作であるか否かを判定する（Ｓ３）。
【００７７】
スライド操作でないと判定される場合（Ｓ３においてＮＯ）、アイコン表示部１２は、ユーザによってアイコン２がタッチされたか否かを判定する（Ｓ４）。
【００７８】
アイコン２がタッチされたと判定される場合（Ｓ４においてＹＥＳ）、コマンド入力部１３は、タッチされたアイコン２によって特定されるコマンド３を入力する。一方、アイコン２ではなく（Ｓ４においてＮＯ）、アイコン群１がタッチされたとアイコン群移動部１１によって判定される場合（Ｓ６においてＹＥＳ）、アイコン群移動部１１はアイコン群１を特定エリア５まで移動させ（Ｓ７、移動ステップ）、アイコン表示部１２は当該アイコン群を展開することによって、アイコン２を一覧表示する（Ｓ８、表示ステップ）。
【００７９】
上記ステップ３において、スライド操作であると判定される場合（Ｓ３においてＹＥＳ）、制御部１０は、選択軌道４ａがスライド操作されたか否かを判定する（Ｓ９）。
【００８０】
選択軌道４ａがスライド操作されたと判定される場合（Ｓ９においてＹＥＳ）、アイコン群移動部１１は、当該選択軌道にあるアイコン群１を移動させる（Ｓ１０）。移動後のアイコン群１が特定エリア５に含まれると判定される場合（Ｓ１１においてＹＥＳ）、アイコン表示部１２は、当該アイコン群を展開して一覧表示する（Ｓ１２）。
【００８１】
一方、選択軌道４ａではなく（Ｓ９においてＮＯ）、非選択軌道４ｂがスライド操作されたと判定される場合（Ｓ１３においてＹＥＳ）、アイコン群移動部１１は、選択軌道４ａにおいてアイコン群１が展開され、アイコン２が一覧表示されているか否かを判定する（Ｓ１４）。
【００８２】
アイコン２が一覧表示されていると判定される場合（Ｓ１４においてＹＥＳ）、アイコン群移動部１１は、当該アイコンをアイコン群１に再度グループ化し（Ｓ１５）、画面中央の領域から外れた位置に当該アイコン群を移動させる（Ｓ１６）。そして、制御部１０は、ユーザが操作した軌道を選択軌道４ａとする（Ｓ１７）。
【００８３】
さらに、選択軌道４ａでもなく（Ｓ９においてＮＯ）、非選択軌道４ｂでもなく（Ｓ１３においてＮＯ）、アイコン軌道４ｃがスライド操作されたと判定される場合（Ｓ１８においてＹＥＳ）、アイコン表示部１２は、アイコン軌道４ｃに展開されているアイコン２を、当該アイコン軌道に沿って移動させる（Ｓ１９）。
【００８４】
〔スマートフォン１００が奏する効果〕
スマートフォン１００は、アイコンの一覧性を改善し、ユーザが所望のアイコンを容易に選択できるようにすることができるため、ユーザの利便性を向上させることができるという効果を奏する。
【００８５】
また、「アイコン（群）を移動させる」という今までにない操作感を伴うため、スマートフォン１００は、ユーザの興味を喚起することができるという効果を奏する。
【００８６】
〔まとめ〕
本発明の一態様に係る入力装置（スマートフォン１００）は、
（１）ユーザの操作により指定された位置を検知可能な入力面と、情報を特定するアイコンを表示可能な表示面とを備え、前記指定された位置に基づいて前記アイコンの選択が可能であることにより、前記情報の入力が可能な入力装置であって、
（２）前記ユーザの操作に連動して、少なくとも１つのアイコンをグループ化したアイコン群を特定可能なグループ化アイコンを、第１の軌道に沿って移動させる移動手段と、
（３）前記移動手段によって移動されるグループ化アイコンの中から１つのグループ化アイコンが選択された場合、当該グループ化アイコンによって特定されるアイコン群に含まれた少なくとも１つのアイコンを一覧可能に表示する表示手段とを備えている。
【００８７】
また、本発明の一態様に係る入力装置の制御方法は、
（１）ユーザの操作により指定された位置を検知可能な入力面と、情報を特定するアイコンを表示可能な表示面とを備え、前記指定された位置に基づいて前記アイコンの選択が可能であることにより、前記情報の入力が可能な入力装置の制御方法であって、
（２）前記ユーザの操作に連動して、少なくとも１つのアイコンをグループ化したアイコン群を特定可能なグループ化アイコンを、第１の軌道に沿って移動させる移動ステップと、
（３）前記移動ステップにおいて移動されるグループ化アイコンの中から１つのグループ化アイコンが選択された場合、当該グループ化アイコンによって特定されるアイコン群に含まれた少なくとも１つのアイコンを一覧可能に表示する表示ステップとを含んでいる。
【００８８】
上記２段階の操作をユーザに行わせる従来の方法において、多数のアイコン群が存在する場合、表示面に当該アイコン群を「並べて表示する」だけでは、ユーザは所望のアイコンを含むアイコン群を効率よく特定することができない。ユーザは注意を向ける対象を絞り込みづらく、上記アイコン群を探し出す集中力を維持することが困難であることから、当該アイコン群の見落としが頻発するからである。
【００８９】
一方、上記構成（２）によれば、本発明の一態様に係る入力装置および当該装置の制御方法は、ユーザの操作に連動して、グループ化アイコンを第１の軌道に沿って移動させる。例えば、当該ユーザの操作によって指定された入力面上の位置に対応する、表示面上の位置に表示されるグループ化アイコンを順次入れ替えるように、上記入力装置等は、上記第１の軌道に沿って当該グループ化アイコンを移動させる。
【００９０】
これにより、上記入力装置等は、ユーザに注意を向ける対象を（例えば、上記表示面上の位置の周辺に）絞り込ませることができるため、当該ユーザに上記グループ化アイコンを探し出す集中力を維持させることができる。したがって、多数のグループ化アイコンが存在する場合であっても、上記入力装置等は、ユーザに所望のグループ化アイコンを効率よく特定させることができる。
【００９１】
また、上記構成（３）によれば、本発明の一態様に係る入力装置および当該装置の制御方法は、ユーザによってグループ化アイコンが選択されると、当該グループ化アイコンによって特定されるアイコン群に含まれた少なくとも１つのアイコンを一覧可能に表示する。これにより、上記入力装置等は、所望のアイコンが表示された位置をユーザに把握させることができる。
【００９２】
以上のように、本発明の一態様に係る入力装置および当該装置の制御方法は、アイコンの一覧性を改善し、ユーザが所望のアイコンを容易に選択できるようにすることができるため、ユーザの利便性を向上させることができる。
【００９３】
また、本発明の一態様に係る入力装置では、
（１）前記移動手段は、前記表示手段によって少なくとも１つのアイコンが一覧可能に表示された後、前記ユーザの操作によって前記第１の軌道とは異なる第２の軌道が選択された場合、当該少なくとも１つのアイコンを再度グループ化して当該第１の軌道に沿って移動させてもよい。
【００９４】
上記の構成（１）によれば、上記入力装置は、第１の軌道とは異なる第２の軌道が選択された場合、上記アイコンの一覧表示を中止し、当該アイコンを含むアイコン群を特定可能なグループ化アイコンを移動させる。ユーザが所望するアイコンを含まないアイコン群を展開することによって、当該アイコン群に含まれるアイコンを一覧可能に表示することに意味はないからである。
【００９５】
したがって、本発明の一態様に係る入力装置は、無駄な一覧表示を継続することを回避できるため、ユーザの利便性をさらに向上させることができる。
【００９６】
また、本発明の一態様に係る入力装置は、
（１）前記表示手段によって少なくとも１つのアイコンが一覧可能に表示された後、前記ユーザの操作によって１つのアイコンが選択された場合、当該アイコンによって特定される情報を入力として受け付ける入力手段をさらに備えてもよい。
【００９７】
上記の構成（１）によれば、上記入力装置は、ユーザの操作によって選択されたアイコンによって特定される情報（例えば、所定のアプリケーションを起動するためのコマンドなど）を、当該入力装置に入力することができる。
【００９８】
したがって、本発明の一態様に係る入力装置は、ユーザにアイコンを選択させるだけで当該入力装置を操作させることができるため、ユーザの利便性をさらに向上させることができる。
【００９９】
また、本発明の一態様に係る入力装置では、
（１）前記表示手段は、前記移動手段によって移動されるグループ化アイコンの中から１つのグループ化アイコンが選択された場合、当該グループ化アイコンによって特定されるアイコン群に含まれた少なくとも１つのアイコンのそれぞれを、前記第１の軌道とは異なる第３の軌道に沿って移動させることによって、当該少なくとも１つのアイコンを一覧可能に表示してもよい。
【０１００】
グループ化アイコンによって特定されるアイコン群に含まれるアイコンの数が増加した場合、当該アイコンを並べて表示するだけでは、ユーザは所望のアイコンを効率よく選択することができないという上記と同様の問題が起こり得る。
【０１０１】
上記の構成（１）によれば、上記入力装置は、当該アイコン群に含まれたアイコンを第３の軌道に沿って移動させるため、多数のアイコンが存在する場合であっても、ユーザに所望のアイコンを効率よく選択させることができる。
【０１０２】
したがって、本発明の一態様に係る入力装置は、アイコンの一覧性をさらに改善し、ユーザが所望のアイコンを一層容易に選択できるようにすることができるため、ユーザの利便性をさらに向上させることができる。
【０１０３】
また、本発明の一態様に係る入力装置では、
（１）前記移動手段は、楕円を描く軌道を前記第１の軌道として前記グループ化アイコンを移動させ、
（２）前記表示手段は、前記移動手段によって移動されるグループ化アイコンに対して、前記楕円の軸と対称の位置にある他のグループ化アイコンを、当該グループ化アイコンよりも小さく表示してもよい。
【０１０４】
上記の構成（１）および（２）によれば、上記入力装置は、上記楕円上の所定の位置（例えば、ユーザの操作によって指定された位置に対応する、上記表示面における位置）に対して、当該楕円の軸と対称の位置に表示された他のグループ化アイコンを、上記アイコン群よりも小さく表示する。
【０１０５】
これにより、ユーザの視点からの遠近が現れることにより、上記楕円を描く軌道を移動するグループ化アイコンを表現できる。したがって、本発明の一態様に係る入力装置は、ユーザに注意を向ける対象を強く絞り込ませることができるため、ユーザに上記アイコン群を探し出す集中力を維持させることができる。
【０１０６】
これにより、本発明の一態様に係る入力装置は、アイコンの一覧性をさらに改善し、ユーザが所望のアイコンを一層容易に選択できるようにすることができるため、ユーザの利便性をさらに向上させることができる。
【０１０７】
また、本発明の一態様に係る入力装置では、
（１）前記表示手段は、前記移動手段によってグループ化アイコンが所定の領域に移動された場合、当該グループ化アイコンを前記ユーザの操作によって選択されたグループ化アイコンとして、当該グループ化アイコンによって特定されるアイコン群に含まれた少なくとも１つのアイコンを一覧可能に表示してもよい。
【０１０８】
上記の構成（１）によれば、上記入力装置は、グループ化アイコンが所定の領域に移動された場合、当該グループ化アイコンがユーザによって選択されたと判定できる。すなわち、上記入力装置は、ユーザにグループ化アイコンを上記所定の領域に移動させるという簡単な操作だけで、当該ユーザに当該グループ化アイコンを選択させることができる。したがって、本発明の一態様に係る入力装置は、ユーザの利便性をさらに向上させることができる。
【０１０９】
なお、前記入力装置はコンピュータによって実現してもよい。この場合には、コンピュータを前記入力装置の各手段として動作させることにより、前記入力装置をコンピュータで実現させる制御プログラム、およびこれを記録したコンピュータ読み取り可能な記録媒体も本発明の範疇に入る。
【０１１０】
〔各実施の形態に含まれる構成（技術的手段）の組み合わせについて〕
上述した実施の形態に含まれる構成は、適宜組み合わせられることに注意する。すなわち、上記の実施の形態で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１１１】
〔ソフトウェアによる実現例〕
最後に、スマートフォン１００の各ブロックは、集積回路（ＩＣチップ）上に形成された論理回路によってハードウェア的に実現してもよいし、ＣＰＵ（Central Processing Unit）を用いてソフトウェア的に実現してもよい。
【０１１２】
後者の場合、スマートフォン１００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備える。そして、本発明の目的は、上述した機能を実現するソフトウェアであるスマートフォン１００の制御プログラムのプログラムコード（実行形式プログラム、中間コードプログラム、ソースプログラム）をコンピュータで読み取り可能に記録した記録媒体を、上記スマートフォン１００に供給し、そのコンピュータ（またはＣＰＵやＭＰＵ）が記録媒体に記録されているプログラムコードを読み出し実行することによっても、達成可能である。
【０１１３】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１１４】
また、スマートフォン１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１５】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１１６】
本発明は、スマートフォン、携帯電話、タブレット端末、パーソナルコンピュータ、その他ユーザの操作により接触した位置に基づいてアイコンの選択が可能であることにより、情報の入力が可能な入力装置等に広く適用できる。
【符号の説明】
【０１１７】
１    アイコン群（アイコン群、グループ化アイコン）
２    アイコン（アイコン）
３    コマンド（情報）
４ａ  選択軌道（第１の軌道）
４ｂ  非選択軌道（第２の軌道）
４ｃ  アイコン軌道（第３の軌道）
５    特定エリア（所定の領域）
７ａ  ユーザ操作（ユーザの操作）
１１    アイコン群移動部（移動手段）
１２    アイコン表示部（表示手段）
１３    コマンド入力部（入力手段）
４１    入力面（入力面）
７２    表示面（表示面）
１００    スマートフォン（入力装置）
【図１】
2014052903.tif 000003
【図２】
2014052903.tif 000004
【図３】
2014052903.tif 000005
【図４】
2014052903.tif 000006
【図５】
2014052903.tif 000007
【図６】
2014052903.tif 000008